(57)【要約】      （修正有）【課題】装着が容易で且つ外れにくく、装着時の安定性、安全性、量産性、外観デザイン性等に優れた名札を提供する。【解決手段】名札本体１と名札本体の裏面側に設けられた狭持部２とを有し、狭持部は、名札を装着した際の水平方向に貫通し且つ鉛直下方に開口する間隙２４と、間隙内に設けられた狭持用部材２５とを備え、狭持用部材は、名札を装着した際の鉛直上方方向に変形しやすく、且つ鉛直下方方向に変形しにくい。【選択図】図１
2016212304.tif 000002
【特許請求の範囲】
【請求項１】
名札本体と当該名札本体の裏面側に設けられた狭持部とを有する名札であって、
上記狭持部は、
名札を装着した際の水平方向に貫通し且つ鉛直下方に開口する間隙と、
当該間隙内に設けられた狭持用部材と、
を備え、
上記狭持用部材は、名札を装着した際の鉛直上方方向に変形しやすく、且つ鉛直下方方向に変形しにくい
ことを特徴とする名札。
【請求項２】
上記狭持用部材は、
上記間隙の名札を装着した際の略鉛直面に一端が固定され、
名札本体面に垂直な面の断面形状が上記固定された一端から離れるに従い名札を装着した際の鉛直上方に向いた形状を有する
ことを特徴とする請求項１に記載の名札。
【請求項３】
上記狭持用部材は、
上記間隙の名札を装着した際の対向する略鉛直面にそれぞれの一端が固定され、
名札本体面に垂直な面の断面形状が上記固定された一端から離れるに従い名札を装着した際の鉛直上方に向いた形状を有する一対の部材より構成される
ことを特徴とする請求項１または２に記載の名札。
【請求項４】
上記狭持用部材は、
上記間隙の名札を装着した際の略鉛直面内において、少なくとも鉛直方向に複数に分割された部材より構成される
ことを特徴とする請求項１から３のいずれかに記載の名札。
【請求項５】
上記狭持部は、
硬さの異なる少なくとも２種の樹脂で構成され、
上記狭持用部材は、その他の部分より弾性変形しやすい樹脂で構成されている
ことを特徴とする請求項１から４のいずれかに記載の名札。
【発明の詳細な説明】
【技術分野】
【０００１】
本発明は、胸ポケット等に装着する名札に関するものである。
【背景技術】
【０００２】
企業や学校、ホテルやデパート、スーパーマーケット、さらには各種の会合等、様々な場所やシチュエーションにおいて、名札は用いられている。
名札を衣類に固定するための手段も様々であり、それぞれが長所、短所を有している。
【０００３】
従来より、学校等において安全ピンと呼ばれる止め針を用いたものが広く用いられてきた。衣類にしっかりと装着できるため、抜け落ちることがないという利点を有している。一方で、衣類に穴が開くことや安全ピンにより怪我をするといった欠点を有している。安全ピンで衣類に装着する際の動作も両手を使う必要があり、やや煩雑である。
【０００４】
そういった問題を解決するためのひとつの手段として、差し込み式の名札がある。例えば、胸ポケットの縁部を弾性的に挟着する差し込み保持具を名札本体の裏面に取り付け、当該差し込み保持具の互いに対峙する二枚の板部の少なくとも一方の面部に滑り止め部を設けることで、胸ポケットの布地を傷めない差し込み式名札の特色を生かしながら、当該差し込み式名札の外れ落ちをできるだけ防止できるようにしたものが提案されている。（例えば、特許文献１）。
【０００５】
また、洗濯バサミと同様の弾性力を利用して、しっかりと胸ポケットの縁部に固定するクリップ式の名札も広く用いられている。
【先行技術文献】
【特許文献】
【０００６】
【特許文献１】実開平５−６４８３号公報
【発明の概要】
【発明が解決しようとする課題】
【０００７】
しかしながら、特許文献１に開示されているような構造の差し込み式の名札においては、狭持力が十分ではないため、名札が回転して真直ぐに装着されなかったり、物に当たった際に簡単に胸ポケットから脱落したりするという大きな問題があった。一方、狭持力を大きくすると、胸ポケットに装着することが困難になるという別の根本的な問題が生じてしまう。
【０００８】
このように、装着の容易性と外れにくさという、名札にとって最も重要な２つの要素が両立しないことが、この差し込み式の名札の大きな課題であった。
また、この差し込み式の名札は、胸ポケットの縁部を弾性的に挟着する弾性機構が厚み方向に膨らみを持つため、安全性やデザイン性に課題があった。
【０００９】
一方、クリップ式の名札は、コイルばねや板ばねによる強い狭持力を用いることで、胸ポケットにしっかりと装着することが可能である。しかし、胸ポケットの生地を点や線で挟持するため、生地を痛めやすく、名札に左右上下各方向の力が加わった際には、生地に大きな損傷を与えることもある。また、組立て時にコイルばねや板ばねを組み込む工程は精度を必要とし、さらに行程数も増加し、歩留まりを低下させる要因ともなるため、製造コスト面において問題があった。さらに、クリップ式の名札は、胸ポケットに装着した際に、参考図である図８に示すように、名札本体面が下を向いてしまい、他の人から名札面を視認しにくくなるという問題もあった。
【００１０】
本発明は、このような従来の名札の持つ諸問題に十分考慮した上でなされたものであり、新しい狭持機構を用いることで、簡単な動作で胸ポケット等に装着できると同時に、装着後はずれたり外れたりしにくい名札を提供するものである。また、胸ポケット等の生地に損傷を与えることもなく、さらに、量産性に優れ、製造コストも低廉な名札を提供するものである。
【課題を解決するための手段】
【００１１】
本発明に係る名札は、名札本体と当該名札本体の裏面側に設けられた狭持部とを有し、上記狭持部は、名札を装着した際の水平方向に貫通し且つ鉛直下方に開口する間隙と、当該間隙内に設けられた狭持用部材とを備え、上記狭持用部材は、名札を装着した際の鉛直上方方向に変形しやすく、且つ鉛直下方方向に変形しにくいことを特徴とする。
【発明の効果】
【００１２】
本発明に係る名札は上記のように構成されているので、胸ポケット等に差し込むだけの極めて簡単な動作により、名札を装着できる。
また、狭持用部材が胸ポケットの生地をしっかりと挟み込んでいるので、ずれることなく安定した装着状態が得られ、横方向には弱い力でも動かすことができるため、簡単なスライド操作で、名札の横位置を所望の位置に微調整できる。さらに、名札本体が下を向かないので、他の人からの視認性に優れている。
【００１３】
また、引き抜く側の外力に対しては、挟持部が強く挟み込むので名札が外れにくい。一方で、回転しながら引っ張るという簡単な動作で取り外すことができる。
【００１４】
安全ピンや洗濯バサミタイプのクリップといった鋭利な部分や出っ張り個所が無いため、非装着時においても、装着時においても、怪我をする心配がほとんど無い。
安全ピン式のように、衣類に穴を開けることはもちろん無いし、洗濯バサミタイプのクリップ式のように、装着時に外力により名札がずれた際に衣類が損傷を受ける危険性は少ない。点や線ではなく、面で狭持しているためであり、狭持部材が広い面積で生地を挟持するため、挟持圧は分散し、生地への損傷はほとんど生じない。
【００１５】
また、製造コストが廉価である。
オール樹脂の成型が可能であり、狭持部材とその他の部分を硬さの異なる樹脂で構成する場合においても、二色成型（ダブルモールド）により廉価に量産可能である。
また、コイルばねや板ばねを用いないため、組み立ても極めて容易であり、高い歩留まりが得られる。
さらに、オール樹脂であるため、分別廃棄も容易である。
【００１６】
挟持部は薄型に設計することが可能であり、且つ凹凸が無い平面で構成できるので、すっきりとした外観デザインが得られる。
名札は、ダース単位や数十個の単位でパッケージするが、薄型で平面的なデザインであるため、積み重ねても嵩張ることなく、小さな容積でパッケージできる。したがって、省スペースで輸送や保管が行えるため、輸送コストや保管コストが抑制できる。
また、パーティや会合の際に大量の名札を用意する場合があるが、そのような際においても持ち運びが容易となる。
【００１７】
さらに、名札本体の幅が胸ポケット以下である場合、名札本体の表面を身体側に反転して胸ポケット等に装着できる。例えば、オフィスから昼食等で短時間外出する場合、名札を外すことも多いが、その際に、胸ポケット等に名札を入れるよりも、反転して胸ポケット等に装着した方が落としづらい。挟持部裏面は、平面的でスッキリとしたデザインであるため、挟持部裏面がポケットから出ていても、デザイン的に違和感が無い。
上述のように名札が小型の場合には、挟持部の両側に名札本体を設け、異なる肩書き等を記載することができる。例えば、通常オフィスでは社内用の肩書きを用い、来客時には社外用の肩書きに変えるといったことも迅速に可能である。、
【図面の簡単な説明】
【００１８】
【図１】本考案の実施の形態１に係る名札の側面図である。
【図２】本考案の実施の形態１に係る名札の斜視図である。
【図３】本考案の実施の形態１に係る名札の狭持部の狭持用部材を、図１における矢印Ａの方向から見た図である。
【図４】本考案の実施の形態１に係る名札の狭持部の狭持用部材の別の構成を示した図であり、図３と同様に、図１における矢印Ａの方向から見た図である。
【図５】本考案の実施の形態１に係る名札のさらに別の構成を示した側面図である。
【図６】本考案の実施の形態１に係る名札を装着する際の狭持部の狭持用部材の状態を示した図である。
【図７】本考案の実施の形態２に係る名札の側面図である。
【図８】参考図である。
【発明を実施するための形態】
【００１９】
実施の形態１．
以下に、本発明に係る名札の実施の形態について、図を用いて説明する。尚、以下の実施の形態は、本発明の最適な一例であって、特に本発明をこの一例に限定するものではない。
【００２０】
＜全体構成＞
図１から図２を用いて、名札の全体構成について説明する。
図１は名札の側面図、図２は斜視図である。
名札は、名札本体１と当該名札本体１の裏面側に設けられた狭持部２とかなる構成される。
【００２１】
名札本体１には、名前等が記載された紙片や名刺を挿入できる機構が設けられている。あるいは、名札本体１の表面に名前等が印刷や刻印されていても良い。本実施の形態においては、名札本体１は樹脂の成型品である。
【００２２】
＜狭持部の構成＞
【００２３】
狭持部２は、名札を胸ポケット等に装着した際の水平方向に貫通し且つ鉛直下方に開口する間隙２４と、当該間隙２４内に設けられた狭持用部材２５とを備え、上記狭持用部材２５は、名札を装着した際の鉛直上方方向に変形しやすく、且つ鉛直下方方向に変形しにくい構成を有している。
【００２４】
この構成を実現する具体的な最適な構成のひとつについて以下に説明する。
狭持部２は、狭持部名札側２１、狭持部裏面側２２、狭持部上端２３、およびそれらに囲まれた間隙２４、およびこの間隙２４内に設けられた狭持用部材２５とを備えている。この狭持用部材２５の左端は、間隙２４の狭持部裏面側２２寄りの内壁に固定されている。左右逆に、狭持用部材２５の右端が、間隙２４の狭持部名札側２１寄りの内壁に固定されていても良い。
なお、狭持部裏面側２２は、名札本体１の裏面が兼用していても良い。
【００２５】
本実施の形態において、狭持部２を構成する材質は成型可能な樹脂であり、狭持用部材２５とその他の部分とは、硬さの異なる異なる少なくとも２種の樹脂で形成されている。これにより、他の部分と比較して、狭持用部材２５は弾性変形しやすくなっている。
そして、狭持用部材２５は、間隙の略鉛直面に一端が固定され、固定された一端から離れるに従い鉛直上方に向いた形状を有している。このような形状を有することで、狭持用部材２５は鉛直上方方向に変形しやすく、且つ鉛直下方方向に変形しにくくなっている。
ここで、狭持用部材２５の横方向長さは３ｍｍから５ｍｍ程度であり、したがって、狭持部２を非常に薄く構成できる。
【００２６】
図３は、狭持部２の狭持用部材２５を、図１における矢印Ａの方向から見た図である。
狭持用部材２５は、鉛直方向に複数に分割された部材より構成されている。狭持用部材２５は、必ずしも鉛直方向に複数に分割する必要は無いが、このように、狭持用部材２５を鉛直方向に複数に分割することで、鉛直上方方向により変形しやすくなっている。
【００２７】
図４は、狭持部２の狭持用部材２５の別の構成を示した図である。図３と同様に、図１における矢印Ａの方向から見た図である。
狭持用部材２５ａは、鉛直方向だけではなく水平方向にも複数に分割された部材より構成されている。このように、狭持用部材２５を鉛直方向と水平方向に複数に分割することで、鉛直上方方向により変形しやすくなり、且つ水平方向にも変形しやすくなっている。
【００２８】
図５は、狭持部２の狭持用部材２５のさらに別の構成を示した側面図である。狭持用部材２５ｂは、間隙の略鉛直面にそれぞれの一端が固定され、固定された一端から離れるに従い鉛直上方に向いた形状を有する一対の部材より構成される。
【００２９】
以上のように、狭持部２の狭持用部材２５に関し、いくつかの構成例を示したが、基本的には、狭持用部材２５は、間隙の略鉛直面に一端が固定され、固定された一端から離れるに従い鉛直上方に向いた形状を有していることで、鉛直上方方向に変形しやすく、且つ鉛直下方方向に変形しにくくなっている。この性質を利用し、胸ポケット等に、狭持部２を挿入しやすく、且つ挿入後は抜けにくい名札を実現することができる。
【００３０】
＜名札の使用方法＞
次に、本実施の形態に係る名札の使用方法について、図６を用いて説明する。
胸ポケット等に名札を装着する場合、胸ポケットを構成する身体から離れた方の生地３に、名札の狭持部２の間隙２４を挿入し、鉛直下方に向けて押し込む。この動作により、狭持用部材２５は鉛直上方方向の摩擦力を受け、図６に示すように、狭持用部材２５の下側から順次鉛直上方方向に変形していく。この変形により、狭持部名札側２１寄りの間隙２４内壁と狭持用部材２５との隙間が開き、小さな力で、狭持部上端２３に胸ポケット等の生地３の上端が当たるまで狭持部２を深く押し込むことが可能となる。
【００３１】
この装着状態においては、狭持用部材２５が胸ポケットの生地３をしっかりと挟み込んでいるため、名札は安定した状態で胸ポケットの所定位置からずれにくく、確実に固定されている。特に、鉛直上方方向には動きにくくなっている。名札が鉛直上方方向に動く際には、狭持用部材２５には鉛直下向きの摩擦力が生じる。この摩擦力により、狭持用部材２５は鉛直下方方向に変形し、狭持部名札側２１側の間隙２４内壁と狭持用部材２５との隙間が閉じるため、名札を引き抜く方向には強い挟持力が生じる。
他方、名札を横方向に動かす際には、それほど大きな摩擦力は生じず、胸ポケットの中央に来るように、名札を所望の横位置に微調整することができる。
【００３２】
次に、胸ポケット等から装着した名札を外す際には、名札を鉛直面で回転させながら上方に引き抜く。このようにすることで、名札をやや横向きにして引き抜くこととなり、大きな力を必要とせず、名札を胸ポケット等から取り外すことができる。
【００３３】
なお、図４に示したような狭持用部材を水平方向に複数に分割した構成とした場合、狭持用部材は水平方向にも変形しやすくなっているので、胸ポケット等に名札を装着した際に、横位置の微調整がさらに容易になり、且つ、名札を外す際に名札を回転させて取り外すこともさらに容易となる。
また、図５に示したような狭持用部材を対向した構成とした場合、名札を装着する際にはポケットの生地が対向した挟持部材それぞれをほぼ均等の力で押し開くので、ひとつの挟持部材を押し開く力は半減するが、両方の挟持部材が開くため、装着する際には、図１のように、一方のみに挟持部材を設けた場合と同様に弱い力での装着が可能となる。他方、名札を引き抜く方向に対しては、両方の挟持部材がポケットの生地を挟み込むため、より強い挟持力が働き、さらに、名札がずれたり外れたりしにくくなる。
【００３４】
実施の形態２．
図７は、本実施の形態に係る名札の側面図である。
実施の形態１に係る名札と異なる点は、狭持用部材２５の構成が異なっている点であり、その他の構成は異なっていない。
【００３５】
実施の形態１に係る名札においては、狭持用部材２５は、間隙の略鉛直面に一端が固定され、固定された一端から離れるに従い鉛直上方に向いた形状を有していたが、本実施の形態に係る名札においては、狭持用部材２５ｃは、間隙の略鉛直面に一端が固定され、固定された一端から水平方向に伸びている。そして、弾性変形しにくい材質の支持部材２６が設けられている。
【００３６】
支持部材２６を設けたことで、狭持用部材２５ｃは鉛直下方に変形しにくくなり、結果として、実施の形態１に係る名札の狭持用部材と同様に、鉛直上方方向に変形しやすく、且つ鉛直下方方向に変形しにくい構成となっている。
なお、狭持部裏面側２２の下端は、上に行くに従って徐々に狭くなる形状となっている。これは、胸ポケット等に装着する際に、生地を挿入しやすくするガイドとなっている。
【００３７】
＜本発明の特長＞
本発明に係る名札は以上のように構成されているため、数多くの特長を有している。
第一に、装着のしやすさである。
胸ポケット等に差し込むだけの極めて簡単な動作により、名札を装着できる。
【００３８】
第二に、装着時の安定性である。
狭持用部材が胸ポケットの生地をしっかりと挟み込んでいるので、ずれることなく安定した装着状態が得られる。
また、横方向には弱い力でも動かすことができるため、簡単なスライド操作で、名札の横位置を所望の位置に微調整できる。
さらに、洗濯バサミタイプのクリップ式の名札においては、名札が前方より押された場合には、クリップが開き、名札の位置がずれることがあるが、本発明に係る名札においては、そのような場合でも、名札位置がずれることはない。
また、洗濯バサミタイプのクリップ式の名札のように、名札本体が下を向かないので、他の人からの視認性に優れている。
【００３９】
第三に、外れにくいことである。
名札にとって、外れにくいことは重要な機能のひとつであり、本発明に係る名札は装着しやすさと外れにくさを両立した点において、名札として従来にない特別な長所を有している。一方で、回転しながら引っ張るという簡単な動作で取り外すことができる。
【００４０】
第四に、安全性の高さである。
安全ピンや洗濯バサミタイプのクリップといった鋭利な部分や出っ張り個所が無いため、非装着時においても、装着時においても、怪我をする心配がほとんど無い。
例えば、洗濯バサミタイプのクリップ式の名札の場合、装着時に名札が前方より押された場合には、クリップの上部が胸部を強く押す懸念があるが、本発明に係る名札においては、狭持部裏面側が平面であるため、このような心配は無い。
【００４１】
第五に、衣類への損傷が生じにくいことである。
安全ピン式のように、衣類に穴を開けることはもちろん無いし、洗濯バサミタイプのクリップ式のように、装着時に外力により名札がずれた際に衣類が損傷を受ける危険性は少ない。点や線ではなく、面で狭持しているためであり、狭持部材が広い面積で生地を挟持するため、挟持圧は分散し、生地への損傷はほとんど生じない。
【００４２】
第六に、製造コストが廉価である。
オール樹脂の成型が可能であるためである。狭持部材とその他の部分とを硬さの異なる樹脂で構成する場合においても、二色成型（ダブルモールド）により廉価に量産可能である。
また、コイルばねや板ばねを用いないため、組み立ても極めて容易であり、高い歩留まりが得られる。
さらに、オール樹脂であるため、分別廃棄も容易である。
【００４３】
第七に、洗練されたデザインが得られる。
挟持部は薄型に設計することが可能であり、且つ凹凸が無い平面で構成できるので、すっきりとした外観デザインが得られる。
【００４４】
第八に、輸送時や保管時に省スペース化が可能である。
名札は、ダース単位や数十個の単位でパッケージするが、薄型で平面的なデザインであるため、積み重ねても嵩張ることなく、小さな容積でパッケージできる。したがって、省スペースで輸送や保管が行えるため、輸送コストや保管コストが抑制できる。
また、パーティや会合の際に大量の名札を用意する場合があるが、そのような際においても持ち運びが容易となる。
【００４５】
第九に、名札を反転して装着可能である。
名札本体の幅が胸ポケット以下である場合、すなわち、１２ｃｍ程度かそれ以下の小型の名札の場合、名札本体の表面を身体側に反転して胸ポケット等に装着できる。例えば、オフィスから昼食等で短時間外出する場合、名札を外すことも多いが、その際に、胸ポケット等に名札を入れるよりも、反転して胸ポケット等に装着した方が落としづらい。挟持部裏面は、平面的でスッキリとしたデザインであるため、挟持部裏面がポケットから出ていても、デザイン的に違和感が無い。
なお、最も一般的な名札のサイズは名刺を収納できるサイズのものであり、幅は１１ｃｍ程度と胸ポケットに収納できるサイズである。
【００４６】
第十に、両面を名札として使用可能である。
上述のように名札が小型の場合には、挟持部の両側に名札本体を設け、異なる肩書き等を記載することができる。例えば、通常オフィスでは社内用の肩書きを用い、来客時には社外用の肩書きに変えるといったことも迅速に可能である。
【００４７】
第十一に、耐久性がある。
可動部分は狭持用部材のみであり、且つ狭持用部材の可動量はせいぜい１ｍｍ程度であるので、繰り返し使用をしても劣化はほとんど生じない。また、凹凸が無く平面的なデザインであるため、物に当たって壊れたりすることも少ない。
【符号の説明】
【００４８】
１  名札本体
２  狭持部
２４  間隙
２５、２５ａ、２５ｂ、２５ｃ  狭持用部材
【図１】
2016212304.tif 000003
【図２】
2016212304.tif 000004
【図３】
2016212304.tif 000005
【図４】
2016212304.tif 000006
【図５】
2016212304.tif 000007
【図６】
2016212304.tif 000008
【図７】
2016212304.tif 000009
【図８】
2016212304.tif 000010